(57)【特許請求の範囲】
【請求項１】
容器の口部を覆う天壁及び該天壁を貫く開口を有し、該口部に保持されるベースキャップと、
前記開口を挿通するステムを有し、前記天壁の裏面において前記ベースキャップに保持されるとともに該ステムの押し下げ及び復元によって前記容器の内容物と空気とをそれぞれ個別に吸引、加圧、圧送する２つのポンプと、
圧送された内容物及び空気を混合させた状態で送給する内部通路を有し、前記ステムに装着されるとともに該内部通路の出口から泡状の内容物を噴出するノズルと、
前記ベースキャップの後方に設けられる支持部に対して揺動可能に支持され、後方へ向けた牽曳によって前記ステムを押し下げる操作レバーとを備え、
前記支持部は、左右方向に位置する一対の側壁と、後方において該側壁を相互に連結する後方壁と、該側壁及び該後方壁で囲まれる内部空間を覆う蓋壁と、該内部空間と外界とを連通させる通気口とを有し、
前記ベースキャップは、前記天壁を貫いて前記内部空間に連通するとともに前記ポンプに空気を送る空気導入口を有するトリガー式泡噴出器。
【請求項２】
前記通気口は、前記後方壁を貫く後方壁貫通孔である請求項１に記載のトリガー式泡噴出器。
【請求項３】
前記天壁は、前記空気導入口と前記後方壁貫通孔との間において上方へ向けて延在する上向き隔壁を有する請求項２に記載のトリガー式泡噴出器。
【請求項４】
前記通気口は、前記蓋壁を貫く蓋壁貫通孔である請求項１に記載のトリガー式泡噴出器。
【請求項５】
前記蓋壁は、前記蓋壁貫通孔を取り囲んで立ち上がる筒壁を有し、該筒壁は該蓋壁貫通孔に通じる連通開口を有する請求項４に記載のトリガー式泡噴出器。
【請求項６】
前記操作レバーは、前記筒壁の上方を覆う上壁を有し、前記筒壁は、該操作レバーの牽曳に伴う該上壁の該蓋壁への接近によって弾性変形し、該筒壁を傾倒させる弾性部を有する請求項５に記載のトリガー式泡噴出器。
【請求項７】
前記操作レバーは、前記蓋壁貫通孔と前記ノズルとの間において下方へ向けて延在する下向き隔壁を有する請求項４〜６の何れか一項に記載のトリガー式泡噴出器。
【請求項８】
前記蓋壁は、前記側壁あるいは前記後方壁とヒンジを介して一体に連結する請求項１〜７の何れか一項に記載のトリガー式泡噴出器。
【発明の詳細な説明】
【技術分野】
【０００１】
本発明は、ポンプを駆動させて内容物と空気との混合物を泡状にして噴出する泡噴出器に関するものであり、特に操作レバーを用いてポンプを駆動させるトリガー式泡噴出器に関するものである。
【背景技術】
【０００２】
例えばシャンプー、ボディソープ、ハンドソープ、洗顔料等を充填した容器では、内容物の泡立て動作を省略して簡便な使用を図る観点から、容器内の内容物を空気と混合させて泡状にして噴出させることが可能な泡噴出器を装備したものが多用されている。
【０００３】
このような泡噴出器は、内容物用ピストンと、空気用ピストンをそれぞれ同心の直列配置にして組み入れた単一のシリンダーからなるポンプを備え、押圧ヘッドの押し込みによって各ピストンを作動させ、内容物と空気をそれぞれ各シリンダー内で吸引、加圧してポンプ出側の合流空間で相互に混合し、メッシュ等の発泡部材を通過させることで内容物を泡状にして外部に噴出させるものが一般的である。
【０００４】
ところでこの種の泡噴出器を取り付けた容器を浴室等で使用すると、シリンダー内に外気を取り込む際に水も一緒に取り込まれることがある。このようにシリンダー内に水が取り込まれてしまうと、シリンダーで加圧される空気の送給量が減少して内容物との混合比が変動してしまうことになり、また空気のみを送給するべきところが取り込まれた水をも送給することになるため、意図した通りの肌理の細かい泡が噴出できない不都合がある。
【０００５】
一方、このような押圧ヘッドを用いた泡噴出器においては、例えば特許文献１に開示されているように、水の浸入口になっていた部位（中空頸部の最上端とカバーの最下端との間）にシール部材を設けることによって水の浸入を抑制することが可能である。
【先行技術文献】
【特許文献】
【０００６】
【特許文献１】特許第４７８１７４９号公報
【発明の概要】
【発明が解決しようとする課題】
【０００７】
ところで市場では様々な商品が求められていて、このような泡噴出器においては、手で押し下げることによってポンプを駆動させる押圧ヘッドに換えて、操作レバーを牽曳してポンプを駆動させるトリガー式泡噴出器が希求されている。そしてトリガー式泡噴出器にあっても、浴室等の水場で使う場合を想定して、水の浸入を防止することが求められている。
【０００８】
本発明は、浴室等で使う場合であっても内部への水の浸入を効果的に抑制することを課題とするものであって、これにより使用場所を問わずに肌理の細かい泡を噴出させることができるトリガー式泡噴出器を提案することを目的とする。
【課題を解決するための手段】
【０００９】
本発明は、容器の口部を覆う天壁及び該天壁を貫く開口を有し、該口部に保持されるベースキャップと、
前記開口を挿通するステムを有し、前記天壁の裏面において前記ベースキャップに保持されるとともに該ステムの押し下げ及び復元によって前記容器の内容物と空気とをそれぞれ個別に吸引、加圧、圧送する２つのポンプと、
圧送された内容物及び空気を混合させた状態で送給する内部通路を有し、前記ステムに装着されるとともに該内部通路の出口から泡状の内容物を噴出するノズルと、
前記ベースキャップの後方に設けられる支持部に対して揺動可能に支持され、後方へ向けた牽曳によって前記ステムを押し下げる操作レバーとを備え、
前記支持部は、左右方向に位置する一対の側壁と、後方において該側壁を相互に連結する後方壁と、該側壁及び該後方壁で囲まれる内部空間を覆う蓋壁と、該内部空間と外界とを連通させる通気口とを有し、
前記ベースキャップは、前記天壁を貫いて前記内部空間に連通するとともに前記ポンプに空気を送る空気導入口を有するトリガー式泡噴出器である。
【００１０】
前記通気口は、前記後方壁を貫く後方壁貫通孔であることが好ましい。
【００１１】
前記天壁は、前記空気導入口と前記後方壁貫通孔との間において上方へ向けて延在する上向き隔壁を有することが好ましい。
【００１２】
前記通気口は、前記蓋壁を貫く蓋壁貫通孔であることが好ましい。
【００１３】
前記蓋壁は、前記蓋壁貫通孔を取り囲んで立ち上がる筒壁を有し、該筒壁は該蓋壁貫通孔に通じる連通開口を有することが好ましい。
【００１４】
前記操作レバーは、前記筒壁の上方を覆う上壁を有し、前記筒壁は、該操作レバーの牽曳に伴う該上壁の該蓋壁への接近によって弾性変形し、該筒壁を傾倒させる弾性部を有することが好ましい。
【００１５】
前記操作レバーは、前記蓋壁貫通孔と前記ノズルとの間において下方へ向けて延在する下向き隔壁を有することが好ましい。
【００１６】
前記蓋壁は、前記側壁あるいは前記後方壁とヒンジを介して一体に連結することが好ましい。
【発明の効果】
【００１７】
本発明のトリガー式泡噴出器において、支持部は、側壁及び後方壁で囲まれる内部空間を覆う蓋壁と、内部空間と外界とを連通させる通気口とを有していて、ベースキャップは、内部空間に連通するとともにポンプに空気を送る空気導入口を有している。すなわち、空気導入口は内部空間に連通していて外界には直接的には露出していないため、空気導入口への水の直接的な浸入を防止することができる。これにより、浴室等で使用する場合でも肌理の細かい泡を噴出させることができる。
【００１８】
通気口は、後方壁を貫く後方壁貫通孔や蓋壁を貫く蓋壁貫通孔などが好ましい。後方壁貫通孔を設ける場合には、天壁に、空気導入口と後方壁貫通孔との間において上方へ向けて延在する上向き隔壁を設けることで、水の浸入を効果的に阻止することができる。
【００１９】
また蓋壁貫通孔を設ける場合は、蓋壁に、蓋壁貫通孔を取り囲んで立ち上がる筒壁を設け、筒壁に蓋壁貫通孔に通じる連通開口を設けることで、水の浸入を効果的に阻止することができる。この場合、操作レバーに、筒壁の上方を覆う上壁を設け、筒壁に、操作レバーの牽曳に伴う上壁の蓋壁への接近によって弾性変形してこの筒壁を傾倒させる弾性部を設けることが好ましい。すなわち、操作レバーに上壁を設けることによって水の浸入をより効果的に防止することができるものの、そのままでは上壁が筒壁に押し当たって操作レバーの牽曳が阻害されることになる。ここにおいて更に筒壁に弾性部を設けることにより、上壁が筒壁に押し当たっても筒壁を傾倒させることができるため、操作レバーの動きを妨げることなく優れた水の浸入防止効果を得ることができる。また操作レバーに、蓋壁貫通孔とノズルとの間において下方へ向けて延在する下向き隔壁を設ける場合も、水の浸入をより効果的に防止することができる。
【００２０】
そして蓋壁は、側壁あるいは後方壁とヒンジを介して一体に連結するものであることが好ましく、この場合は部品点数を抑えることができるので、コストを抑制することができる。
【図面の簡単な説明】
【００２１】
【図１】本発明に従うトリガー式泡噴出器の第一実施形態を示す断面図である。
【図２】図１に示すベースキャップの平面図（蓋壁は省略している）である。
【図３】図１に示すトリガー式泡噴出器において、操作レバーが復帰する状態を示す断面図である。
【図４】本発明に従うトリガー式泡噴出器の第二実施形態を示す断面図である。
【図５】（ａ）は図４に示すベースキャップの平面図であり、（ｂ）はベースキャップの蓋体を開いた状態での断面図である。
【図６】図４に示すトリガー式泡噴出器において、操作レバーが復帰する状態を示す断面図である。
【発明を実施するための形態】
【００２２】
以下、図面を参照して、本発明に従うトリガー式泡噴出器の一実施形態について説明する。なお、本明細書、特許請求の範囲、及び要約書において、「上」方向、「下」方向とは、トリガー式泡噴出器を装着した容器を水平面上に載置した状態での向きをいう。また「前」方向とはノズルの先端が指向する向き（ノズルの根元に対して先端開口が位置する向き）であり（図１の左側）、「後」方向とはその反対側である（図１の右側）。また「左」、「右」方向とは、ノズルの先端開口に向かって（前から後に向かって）トリガー式泡噴出器を見る際の向きである。
【００２３】
図１は、本発明に従うトリガー式泡噴出器の第一実施形態（符号Ａで示す）が容器Ｃに取り付けられている状態を示している。ここで符号１は、トリガー式泡噴出器Ａを容器Ｃの口部に保持するためのベースキャップを示している。ベースキャップ１は、容器Ｃの口部を覆う天壁１ａを備えている。本実施形態の天壁１ａは、中央から径方向外側に向かって下向きに湾曲した形態をなしている。また天壁１ａの縁部には下方に向けて延在する外壁１ｂが設けられている。外壁１ｂの内側には雌ねじが形成されていて、容器Ｃの口部に設けた雄ねじにねじ込むことで、トリガー式泡噴出器Ａは容器Ｃの口部に着脱自在に保持される。なお、ベースキャップ１を容器Ｃに保持するには、アンダーカット等、他の構成を用いることも可能である。また天壁１ａの中央には、天壁１ａを貫く開口１ｃが設けられていて、開口１ｃの縁部には、上方へ向けて起立する中空頸部１ｄが設けられている。
【００２４】
また天壁１ａの後方には、天壁１ａを貫く孔（空気導入口）１ｅが設けられている。また空気導入口１ｅの外側には、天壁１ａから上方へ向けて延在する上向き隔壁１ｆが設けられている。
【００２５】
天壁１ａの後方には、後述する操作レバーを支持するための支持部Ｓが設けられている。本実施形態の支持部Ｓは、天壁１ａに一体に連結するとともに左右で一対になる側壁１ｇと、側壁１ｇの後方において側壁１ｇ同士を連結する後方壁１ｈと、側壁１ｇの前方において中空頸部１ｄに連結するとともに側壁１ｇ同士を連結する前方壁１ｊとを備えている。ここで、側壁１ｇ、後方壁１ｈ、中空頸部１ｄ、及び前方壁１ｊで囲まれる空間（内部空間Ｎ）には、空気導入口１ｅが開口している。また後方壁１ｈの下方（上向き隔壁１ｆの上端よりも下方）には、内部空間Ｎに通じる通気口（後方壁貫通孔）１ｋが設けられている。また側壁１ｇには、図２に示すように左右方向外側に向けて突出する円柱状の軸部１ｍが設けられている。
【００２６】
更に側壁１ｇ、後方壁１ｈ、及び前方壁１ｊの上方には、内部空間Ｎを覆う蓋壁１ｎが設けられている。本実施形態の蓋壁１ｎは、前方から後方に向かって若干下向きに傾斜する傾斜部分と前方において起立する垂直部分とを有していて、傾斜部分の後端がヒンジｈを介して後方壁１ｈと一体に連結している。なお側壁１ｇには、左右方向内側に向けて突出する係合突起１ｐが設けられていて、ヒンジｈで折り曲げた蓋壁１ｎに連係してこの蓋壁１ｎを閉鎖姿勢で維持している。なお、本実施形態のベースキャップ１は、図５（ｂ）に示したベースキャップのように蓋壁１ｎを開いた状態で成形することによって、後方壁１ｈと蓋壁１ｎとが連結した一体物として形成されるものである。
【００２７】
符号２、３は、ベースキャップ１によって容器Ｃの口部に垂下保持され内容物と空気とをそれぞれ個別に吸引、加圧、圧送する２つのポンプである。内容物用ポンプ２及び空気用ポンプ３は、小径筒体４ａと、小径筒体４ａの上部に一体連結する底部を有する大径筒体４ｂとが同軸に直列状に配置された形態をなす、単一のシリンダー４によって形成されている。シリンダー４の上方には径方向外側に延在するフランジが設けられていて、容器Ｃに垂下保持されるにあたっては、このフランジの下面側にパッキンＰＡを設け、容器Ｃの口部との間でパッキンＰＡを挟み込むようにしている。
【００２８】
内容物用ポンプ２は、小径筒体４ａの底部において、容器Ｃ内の内容物を流入させる吸引口４ｃを有していて、吸引口４ｃには、容器Ｃの底部に向けて延在する吸引パイプｐが保持されている。また小径筒体４ａ内には、小径筒体４ａの内周面に当接するとともにその軸線に沿って摺動可能に設けられた中空ピストン５が配されている。そして中空ピストン５の内側には、ポペット６が配されていて、また中空ピストン５の外側には、中空のステム７が配されている。またシリンダー４と中空ピストン５との間には、中空ピストン５及びステム７をスライド可能に弾性支持するスプリング８が配されている。更にステム７の内面上方には内向きフランジ７ａが設けられていて、内向きフランジ７ａの上方には、ボール弁９が設けられている。
【００２９】
このような構成になる内容物用ポンプ２によれば、ステム７を押し下げると、小径筒体４ａ内の内容物は中空ピストン５によって加圧されてステム７内を圧送される。一方、スプリング８の復元力によってステム７が上方へ移動すると、容器Ｃ内の内容物は吸引パイプｐを通して小径筒体４ａ内に吸引される。
【００３０】
また空気用ポンプ３は、大径筒体４ｂの内周面に当接するとともにその軸線に沿って摺動可能に設けられたエアーピストン１０を備えている。ここでエアーピストン１０は、径方向内側において、ステム７を取り囲む筒状ガイド１０ａを備えている。なお、ステム７の外周面と筒状ガイド１０ａの内周面との間には、エアーピストン１０で加圧された空気が通る隙間が設けられている。また筒状ガイド１０ａの縁部（エアーピストン１０の外面）には、外界からの空気を大径筒体４ｂ内に取り込むための連通口１０ｂが設けられている。更に筒状ガイド１０ａの外側には、連通口１０ｂを開閉する逆止弁１１が設けられている。逆止弁１１は、通常時はエアーピストン１０の裏面に当接して連通口１０ｂを閉鎖する一方、大径筒体４ｂ内が負圧になるとエアーピストン１０の裏面から離反して連通口１０ｂを解放する。
【００３１】
また、図１に示すようにステム７の上方には、ホルダー１２が設けられていて、ホルダー１２には、網目状のメッシュを備える発泡部材１３（本実施形態では２個）が設けられている。またホルダー１２は、ステム７に連結するノズル１４で保持されている。ノズル１４は、中空頸部１ｄを挿通して上方に向かって延在する縦型筒状部１４ａと、後方から前方に向けて延在する横型筒状部１４ｂとを備えていて、縦型筒状部１４ａと横型筒状部１４ｂの内側には、内部通路１４ｃが設けられている。また横型筒状部１４ｂの先端には、内部通路１４ｃの出口となる先端開口１４ｄが設けられている。更に縦型筒状部１４ａと横型筒状部１４ｂとの連結部には、左右方向外側に向けて突出する一対の凸部１４ｅが設けられている。なお、縦型筒状部１４ａと中空頸部１ｄとの間の隙間は、ノズル１４の移動を妨げない範囲で狭められている。
【００３２】
ここで、ステム７の外周面とノズル１４の内周面との間には、先に説明したステム７と筒状ガイド１０ａとの隙間を通った加圧された空気が通る隙間が形成されていて、この隙間を通った空気は、ステム７の内周面とホルダー１２の外周面に形成された隙間を通って、ボール弁９が配される空間（合流空間Ｇ）に流れるように構成されている。ここで合流空間Ｇには内容物用ポンプ２によって圧送された内容物も流れ込むため、合流空間Ｇでは内容物と空気とが混ざり合うことになる。そして混合した内容物と空気が発泡部材１３を通過することによって、内容物を発泡させることができる。なお、最適な発泡状態は内容物によって異なるため、発泡部材１３に設けたメッシュの粗さや発泡部材１３の個数、或いは合流空間に導入される内容物と空気との混合比は、内容物に応じて適宜最適なものが選択される。
【００３３】
ノズル１４の上方には、支持部Ｓに支持される操作レバー１５が設けられている。操作レバー１５は、左右で一対になる側方壁１５ａと、側方壁１５ａの上方において側方壁１５ａ同士を連結する上壁１５ｂと、側方壁１５ａの前方において側方壁１５ａ同士を連結する前壁１５ｃを備えている。また側方壁１５ａには、軸部１ｍに適合して支持部Ｓに対して操作レバー１５を揺動可能に支持する凹部１５ｄが設けられている。更に上壁１５ｂにおいて、凸部１４ｅの直上には、図示は省略するが、下向き解放となるＣ字状の凹部（左右方向に一対設けている）が垂下されている。これにより操作レバー１５を後方に向けて牽曳すると、不図示の凹部が凸部１４ｅを押し下げるため、ノズル１４を介してステム７を押し下げることができる。また上壁１５ｂの裏面には、蓋壁１ｎよりも前方において、蓋壁１ｎの垂直部分の上端よりも下方に向かって延在する下向き隔壁１５ｅが設けられている。
【００３４】
このように構成されるトリガー式泡噴出器Ａにあっては、操作レバー１５の前壁１５ｃに指をかけてこれを後方に向けて牽曳すると、ノズル１４を介してステム７が押し下げられるため、スプリング８の反力に反して中空ピストン５も下方へ押し下げられる。これにより、小径筒体４ａ内の内容物は加圧されて合流空間Ｇに圧送される。またこの時、エアーピストン１０も下方へ押し下げられるため、大径筒体４ｂの空気は加圧されて、ステム７の外周面と筒状ガイド１０ａの内周面との隙間、ステム７の外周面とノズル１４の内周面との隙間、及びステム７の内周面とホルダー１２の外周面との隙間を通して合流空間Ｇに圧送される。そして圧送された内容物及び空気は、合流空間で相互に混合した後、更に発泡部材１３を通過して発泡して、ノズル１４の内部通路１４ｃを通って先端開口１４ｄから噴出される。
【００３５】
一方、操作レバー１５への押圧を解除すると、図３に示すように操作レバー１５はスプリング８の復元力によって前方へ移動し、併せて中空ピストン５が上昇する。これにより小径筒体４ａ内が負圧になるため、吸引パイプｐを通して容器Ｃ内の内容物が吸引される。またこの時、エアーピストン１０も上昇して大径筒体４ｂ内が負圧になるため、逆止弁１１がエアーピストン１０の裏面から離反して連通口１０ｂが開いた状態になる。ここで連通口１０ｂは、空気導入口１ｅ、内部空間Ｎを介して後方壁貫通孔１ｋとつながっているため、外界の空気は後方壁貫通孔１ｋ、内部空間Ｎ、空気導入口１ｅ、及び連通口１０ｂを通って大径筒体４ｂに導入される。
【００３６】
このように空気導入口１ｅは内部空間Ｎに連通していて外界には直接露出していないため、浴室等の水場で使用する場合でも水が空気導入口１ｅに直接入り込むことがない。更に内部空間Ｎと外界等を連通させる後方壁貫通孔１ｋの近傍には、後方壁貫通孔１ｋよりも上方に向かって延在する上向き隔壁１ｆが設けられているので、後方壁貫通孔１ｋから水が浸入することがあっても、空気導入口１ｅへの浸入を効果的に防止することができる。トリガー式泡噴出器Ａは内部に水が浸入しにくい構造になっているため、浴室等で使用する場合でも肌理の細かい泡を噴出させることができる。
【００３７】
次に本発明に従うトリガー式泡噴出器の第二実施形態（符号Ｂで示す）について、図３〜５を参照しながら説明する。なお、先の実施形態と機能が共通する部位については、図面に同一の符号を付して説明を省略する。
【００３８】
トリガー式泡噴出器Ｂは、図４、図５（ａ）に示すように、蓋壁１ｎを貫く通気口（蓋壁貫通孔）１ｑと、蓋壁貫通孔１ｑを取り囲んで立ち上がる円筒状の筒壁１ｒを備えている。図４に示すように筒壁１ｒは、操作レバー１５を牽曳する前の状態において上壁１５ｂに当接していて、その上部開口は上壁１５ｂで閉鎖されている。また筒壁１ｒには、蓋壁貫通孔１ｑに通じる連通開口１ｓが設けられている。本実施形態の連通開口１ｓは、図５（ｂ）に示すように筒壁１ｒの先端から根元に向かって延在するスリットであるが、筒壁１ｒを貫く貫通孔であってもよい。また筒壁１ｒの根元には、肉厚を薄くして弾性変形可能とした弾性部１ｔを設けている（図５（ｂ）参照）。なお、先に説明したトリガー式泡噴出器Ａでは、蓋壁１ｎに連係する係合突起１ｐを１つの側壁１ｇにつき２つ設けていたが、トリガー式泡噴出器Ｂではこれを１つ設けている。また下向き隔壁１５ｅの下端は、連通開口１ｓよりも下方に位置している。
【００３９】
このような構成になるトリガー式泡噴出器Ｂにあっては、操作レバー１５を後方に向けて牽曳することで、先の実施形態と同様に内容物を噴出させることができる。なお、操作レバー１５を牽曳することによって上壁１５ｂは蓋壁１ｎに接近することになるが、筒壁１ｒは図６に示すように弾性部１ｔによって弾性変形し、前方に向けて傾倒するため、操作レバー１５の動きが妨げられることはない。
【００４０】
一方、操作レバー１５への押圧を解除すると、スプリング８の復元力によって中空ピストン５が上昇して小径筒体４ａ内が負圧になるため、吸引パイプｐを通して容器Ｃ内の内容物が吸引される。またこの時、エアーピストン１０も上昇して大径筒体４ｂ内が負圧になり、逆止弁１１がエアーピストン１０の裏面から離反して連通口１０ｂが開いた状態になる。ここで連通口１０ｂは、先の実施形態と同様に、空気導入口１ｅ、内部空間Ｎを介して後方壁貫通孔１ｋとつながっているため、外界の空気は後方壁貫通孔１ｋ、内部空間Ｎ、空気導入口１ｅ、及び連通口１０ｂを通って大径筒体４ｂに導入される。更に本実施形態の内部空間Ｎは、蓋壁貫通孔１ｑ、連通開口１ｓを介して、操作レバー１５の前方に位置する開口Ｋ１（上壁１５ｂと前壁１５ｃとの間に形成される開口）、或いは操作レバー１５の後方に位置する開口Ｋ２（上壁１５ｂと後方壁１ｈとの間に形成される開口）と連通しているため、開口Ｋ１、Ｋ２からも空気を導入することができる。なお、開口Ｋ１と連通開口１ｓとの間には、下向き隔壁１５ｅが設けられているので、開口Ｋ１から水が浸入することがあっても、連通開口１ｓへの水の浸入は効果的に阻止される。
【００４１】
本発明に従うトリガー式泡噴出器は、本実施形態に限定されるものではなく、特許請求の範囲に従う範囲で種々の変更が可能である。例えば上述した中空頸部や支持部はベースキャップに一体に連結するものであるが、ベースキャップとは別異の部材で構成してもよい（中空頸部及び支持部の全てをベースキャップとは別異の部材としてもよく、また例えば前方壁のみを別異の部材としてもよい）。また、上向き隔壁及び下向き隔壁は省略してもよい。そして、内容物用ポンプ及び空気用ポンプも上述の構成に限定されるものではなく、種々のものを採用することが可能である。また操作レバーは、上述したようにノズルを介してステムを間接的に押し下げるものに限られず、ステムを直接押し下げるものであってもよい。また上述した実施形態のようにヒンジを介して蓋壁を一体に連結するにあたっては、上述したような後方壁と連結するものだけでなく、側壁と連結するものであってもよい。なお蓋壁は、ベースキャップから分離した別異の部材としてもよい。更に、第二実施形態で設けていた後方壁貫通孔１ｋ、及び２つの開口Ｋ１、Ｋ２は、少なくとも一つあればよい。
【符号の説明】
【００４２】
１：ベースキャップ
１ａ：天壁
１ｂ：外壁
１ｃ：開口
１ｄ：中空頸部
１ｅ：空気導入口
１ｆ：上向き隔壁
１ｇ：側壁
１ｈ：後方壁
１ｊ：前方壁
１ｋ：後方壁貫通孔（通気口）
１ｍ：軸部
１ｎ：蓋壁
１ｐ：係合突起
１ｑ：蓋壁貫通孔（通気口）
１ｒ：筒壁
１ｓ：連通開口
１ｔ：弾性部
２：内容物用ポンプ
３：空気用ポンプ
４：シリンダー
４ａ：小径筒体
４ｂ：大径筒体
４ｃ：吸引口
５：中空ピストン
６：ポペット
７：ステム
７ａ：内向きフランジ
８：スプリング
９：ボール弁
１０：エアーピストン
１０ａ：筒状ガイド
１０ｂ：連通口
１１：逆止弁
１２：ホルダー
１３：発泡部材
１４：ノズル
１４ａ：縦型筒状部
１４ｂ：横型筒状部
１４ｃ：内部通路
１４ｄ：先端開口
１４ｅ：凸部
１５：操作レバー
１５ａ：側方壁
１５ｂ：上壁
１５ｃ：前壁
１５ｄ：凹部
１５ｅ：下向き隔壁
Ａ、Ｂ：トリガー式泡噴出器
Ｃ：容器
Ｇ：合流空間
Ｋ１：開口
Ｋ２：開口
Ｎ：内部空間
ＰＡ：パッキン
Ｓ：支持部
ｈ：ヒンジ
ｐ：吸引パイプ
【図１】
0006588384.tif 000002
【図２】
0006588384.tif 000003
【図３】
0006588384.tif 000004
【図４】
0006588384.tif 000005
【図５】
0006588384.tif 000006
【図６】
0006588384.tif 000007